(57)【要約】【課題】  磁気回路の組み立て効率がよく、また、分解処理が容易で、磁気回路構成部品の再利用あるいは分別廃棄を行ない易い環境対策を図ったスピーカユニットを提供する。【解決手段】  トッププレート５とマグネット６およびヨーク７を切断可能な結束バンド９を用いて結束固定し、スピーカユニットの磁気回路を構成する。また、トッププレート５の上面およびヨーク６のボトムプレート７１の下面には、結束バンド９を係止するための溝５２および７５を設ける。磁気回路を分解する時は、結束バンド９をニッパなどの工具を用いて切断する。【選択図】  図１
2005323096.tif 000002
【特許請求の範囲】
【請求項１】
トッププレートとマグネットおよびヨークを切断可能な結束バンドを用いて結束固定し、磁気回路を構成したことを特徴とするスピーカユニット。
【請求項２】
トッププレートの上面およびヨークのボトムプレートの下面に、結束バンドを係止する溝を設けたことを特徴とする請求項１記載のスピーカユニット。
【請求項３】
トッププレートとマグネットおよびヨークに結束バンドを挿通するための穴をそれぞれ設けたことを特徴とする請求項１または２記載のスピーカユニット。
【請求項４】
磁気回路を構成するマグネットの周囲に固定位置関係を規定するための切り欠き部を設けるとともに、その切り欠き部へ結束バンドを通してトッププレートとマグネットおよびヨークを結束固定し、この結束固定と同時にトッププレートとマグネットおよびヨーク間の位置決めが行なわれるように構成したことを特徴とする請求項１または２記載のスピーカユニット。
【請求項５】
切断可能な結束バンドを用いてフレームと磁気回路を構成するトッププレートとマグネットおよびヨークとを一体に結束固定したことを特徴とするスピーカユニット。
【請求項６】
フレームと、磁気回路を構成するトッププレートとマグネットおよびヨークに、結束バンドを挿通するための穴をそれぞれ設けたことを特徴とする請求項５記載のスピーカユニット。
【発明の詳細な説明】
【技術分野】
【０００１】
本発明は、スピーカユニットに係り、特に、磁気回路の組み立てと、分解を容易にしたスピーカユニットに関する。
【背景技術】
【０００２】
一般に、外磁型スピーカユニットの磁気回路は、図６に示すように、トッププレート１とマグネット２およびヨーク３とによって構成されている。
【０００３】
この図６の磁気回路は、ボトムプレート３１の上面中心部に鉛直に設けたセンターポール３２有するヨーク３と、このヨーク３のボトムプレート３１上に載置されるリング状のマグネット２と、マグネット２の上面に設けられた円板型のトッププレート１とによって構成されている。また、この磁気回路は、トッププレート１とマグネット２およびヨーク３の各部品間に、主にアクリル系の接着剤４を介在させて一体に接着固定している。
【０００４】
ところで、近年、環境問題が重要視され、あらゆる分野でリサイクル技術およびリサイクル対応製品が提案されているが、スピーカユニットにおいても同様であり、磁気回路構成部品の分解処理が容易にでき、磁気回路構成部品の再利用、あるいは分別廃棄に適したスピーカユニットが要求されている。
【０００５】
しかし、上述した図６に示すスピーカユニットの磁気回路は、接着剤４を用いて接着固定しているため、トッププレート１とマグネット２およびヨーク３を分解処理するためには、磁気回路部材を高温にすることにより、予め、接着剤４を劣化させておく必要があった。一般的には、スピーカユニット全体をオーブンに入れて加熱処理し、その後、加熱したスピーカユニットにハンマーなどで衝撃力を与えて劣化した接着部分を分断し、分解を行なっていた。
【０００６】
この分解処理には、多大な熱エネルギーと衝撃力（運動エネルギー）を必要とし、磁気回路の接着固定が強固であればあるほど分解処理に手間がかかり、時には、磁気回路を構成する部品を損傷し、再利用ができない場合も生じていた。また、分解処理した後においても、トッププレート１とマグネット２およびヨーク３にそれぞれ接着剤４が付着しているため、リサイクルプロセスに悪影響を及ぼすという問題点があった。
【０００７】
上述したような接着剤を用いてトッププレートとマグネットおよびヨークを接着固定した磁気回路における種々の問題点を解決するために、次のような方法が提案されている。その１つの方法としては、非磁性材料からなるリベットを用いてトッププレートとマグネットおよびヨークを結合固着し磁気回路を構成する方法が提案されている（例えば、特許文献１参照）。
【０００８】
また、内磁型の磁気回路を構成するトッププレートとマグネットおよびヨークにそれぞれ設けた孔へ非磁性材料からなる棒状の結合部品を貫通させるとともに、トッププレートまたはヨークから突出した結合部品の突出部をカシメて３部品を圧着結合する方法が提案されている（例えば、特許文献２参照）。
【０００９】
さらに、トッププレートとマグネットおよびヨークとで構成した磁気回路を樹脂材からなる有底状のカバー部材内へ収容するとともに、このカバー部材をフレームへ圧着係合させることによって、磁気回路を接着剤などを使用することなくカバー部材とフレームとの間に固定する方法が提案されている（例えば、特許文献３参照）。
【００１０】
また、フレームと磁気回路のトッププレートとマグネットおよびヨークを形状記憶合金からなる締結部材によって締結されているスピーカユニットを構成し、そのスピーカユニットを形状回復温度以上で、かつ、不可逆減磁発生温度以上の温度に加熱することによりフレームおよび磁気回路構成部品の締結が解除され、分解を可能とする方法が提案されている（例えば、特許文献４参照）。
【００１１】
【特許文献１】特開２００１−１７７８９４号公報（第２―３頁、第１図）
【特許文献２】特開２００１−２４５３８７号公報（第５―１０頁、第１図）
【特許文献３】特開２００１−３０９４８８号公報（第２―５頁、第１図）
【特許文献４】特開２００４−４８４２６号公報（第２−７頁、第１図）
【発明の開示】
【発明が解決しようとする課題】
【００１２】
上述した従来のスピーカユニットにおいて、リベットを用いてトッププレートとマグネットおよびヨークを結合固着し磁気回路を構成する方法は、分解処理時にリベットをニッパ等の工具で切断する必要があるため、実施可能な範囲が小口径のスピーカユニットに限定されるという問題点があった。
【００１３】
また、このリベットを用いる方法は、リベットの一端をカシメてトッププレートの内径部分を圧縮力で結合固着方法を採用しているが、分解処理時にリベットをニッパ等の工具で容易に切断することができるようにするために、リベット自体を比較的やわらかい部材を用いて製作する必要があるため、大きな圧縮力を得ることができず、結合固着した磁気回路の相互位置ズレが生じる可能性が高いという問題点があった。
【００１４】
また、棒状の結合部品を用いてその突出部をカシメてトッププレートとマグネットおよびヨークを圧着固定し磁気回路を構成する方法は、カシメた部分を解除するためには、一般的な工具では難しいという問題点があった。また、この提案の方法では、磁気回路の中央に結合部品を挿通するための孔を設ける必要があるため、内磁型の磁気回路以外実施できないという問題点があった。
【００１５】
さらに、磁気回路を樹脂材からなるカバー部材内に収容し、磁気回路をカバー部材とフレームとの間に固定する方法は、磁気回路全体を包む大きな樹脂材からなるカバー部材を使用することになり、コストアップにつながるという欠点があった。また、分解処理を行なう時は、何らかの方法で樹脂材からなるカバー部材を破壊しなければならず、容易に廃棄処理を行なうことができないという問題点があった。
【００１６】
また、フレームと磁気回路を構成する各部品とを形状記憶合金からなる締結部材を用いて締結固定する方法は、締結部材を形状記憶合金という特殊な材料を用いて製作する必要があり、コスト的にも不利である。さらに、分解処理時には、加熱処理を行なう作業工程が必要であり、手間と費用がかかるという問題点があった。
【００１７】
本発明は、上述の従来の問題点を解決するもので、磁気回路の組み立て効率がよく、また、分解処理が容易で、磁気回路構成部品の再利用や分別廃棄を行ない易い環境対策を図ったスピーカユニットを提供することを目的としている。
【課題を解決するための手段】
【００１８】
上記の目的を達成するために、本発明のスピーカユニットにおいては、トッププレートとマグネットおよびヨークを切断可能な結束バンドを用いて結束固定し、磁気回路を構成したものである。
【００１９】
また、トッププレートの上面およびヨークのボトムプレートの下面に、結束バンドを係止する溝を設けることが効果的である。
【００２０】
また、磁気回路を構成するトッププレートとマグネットおよびヨークに結束バンドを挿通するための穴をそれぞれ設けることも効果的である。
【００２１】
さらに、磁気回路を構成するマグネットの周囲に固定位置関係を規定するための切り欠き部を設けるとともに、その切り欠き部へ結束バンドを通してトッププレートとマグネットおよびヨークを結束固定し、この結束固定と同時にトッププレートとマグネットおよびヨーク間の位置決めが行なわれるように構成することもできる。
【００２２】
また、上記切断可能な結束バンドを用いてフレームと、磁気回路を構成するトッププレートとマグネットおよびヨークとを一体に結束固定することが効果的である。
【００２３】
また、フレームと、磁気回路を構成するトッププレートとマグネットおよびヨークに、結束バンドを挿通するための穴をそれぞれ設け、その穴へ挿通した結束バンドでフレームと磁気回路を一体に結束固定することもできる。
【発明の効果】
【００２４】
本発明のスピーカユニットは、磁気回路の組み立て効率がよく、また、分解処理が容易で、磁気回路構成部品の再利用や分別廃棄を行ない易い環境対策を図ったスピーカユニットを提供することができる。
【発明を実施するための最良の形態】
【００２５】
トッププレートとマグネットおよびヨークを切断可能な結束バンドを用いて結束固定し、スピーカユニットの磁気回路を構成する。
【実施例１】
【００２６】
本発明に係るスピーカユニットの第１の実施例を図１および図２に基づいて説明する。
図１の（ａ）は、スピーカユニットの磁気回路を示す半截断面図である。図１の（ｂ）は、磁気回路の平面図である。図２の（ａ）は、磁気回路を構成する各部品を示す斜視図である。図２の（ｂ）は、結束バンドを用いて磁気回路を構成する各部品を結束固定する直前の状態を示す斜視図である。
【００２７】
この第１の実施例のスピーカユニットは、図１の（ａ）、（ｂ）および図２の（ａ）、（ｂ）に示すように、トッププレート５とマグネット６およびヨーク７とからなる外磁型の磁気回路を次のように構成している。
【００２８】
まず、ヨーク７は、ボトムプレート７１の上面の中心部に鉛直に設けたセンターポール７２を有している。また、このセンターポール７２の基端外周には、センターポール７２の外径よりも大きい外径を有するリング状のガイド段部７３を形成している。
【００２９】
リング状のマグネット６は、ガイド段部７３の外径とほぼ等しい内径を有し、ボトムプレート７１の上面へ載置した際に、ガイド段部７３へ嵌合し、センター出しを行なうように構成している。さらに、マグネット６は、ボトムプレート７１の上面へ載置した際に、ボトムプレート７１の外周端縁に上向きに突出させて形成した複数の位置決め用のボス７４によって取り付け位置関係が規定されるように構成している。
【００３０】
トッププレート５は、所要の径と厚みとを有するリング体からなるものであって、外端縁に下向きに突出させて形成した複数の位置決め用のボス５１を有している。このボス５１によって、トッププレート５がマグネット６の上面に載置された際に、センターポール７２の外周面とトッププレート５の内周面との位置関係を規定して磁気ギャップ８を形成し、磁気回路を構成している。
【００３１】
さらに、上記のように構成したトッププレート５の上面には、切断可能な結束バンド９を係止するための溝５２を設けている。この溝５２は、トッププレート５の中心部に形成した円形の穴５３をはさんで対称な位置に平行に設けられている。
【００３２】
一方、上記のように構成したヨーク７のボトムプレート７１の下面には、トッププレート５に設けた２つの溝５２とそれぞれ対応する位置に、結束バンド９を係止するための２つの溝７５を設けている。
【００３３】
この第１の実施例によれば、図２の（ａ）に示すように、トッププレート５とマグネット６およびヨーク７を配置し、積み重ねた後、図２の（ｂ）で示すように、２本の結束バンド９をトッププレート５の溝５２とボトムプレート７１の溝７５に掛けて、張力を与えることにより、図１の（ａ）、（ｂ）で示すように、トッププレート５とマグネット６およびヨーク７に均質な圧縮力が働き、トッププレート５とマグネット６およびヨーク７の３つの部品は、完全に結束固定される。結束バンド９に対して張力を与える方法としては、結束バンド９を強く引っ張り結束するか、あるいは、結束バンド９自体が収縮するように構成すればよい。
【００３４】
このように、上記第１の実施例においては、従来のように接着剤を用いずに、トッププレート５とマグネット６およびヨーク７を結束バンド９によって結束固定し、磁気回路を構成したことによって、リサイクルする各構成部品に接着剤などの不純物が付着することがない。また、従来のリベットやカシメなどの局部的な力で固定する方法に比較して、磁気回路を構成する各部品全体に圧縮力が働くので、安定して結合固定することができるとともに、磁気回路の組み立て効率の向上を図ることができる。また、磁気回路を固定するために使用する部材が結束バンド９のみであるから、コスト的に有利となる。
【００３５】
次に、組み立てたスピーカユニットの磁気回路を分解する方法について、図１の（ａ）、（ｂ）に基づいて説明する。
スピーカユニットの磁気回路を分解する場合は、２本の結束バンド９をニッパなどの工具を用いて切断することによって、磁気回路を簡単に分解することができ、磁気回路の再利用あるいは分別廃棄を容易に行なうことができる。
【実施例２】
【００３６】
本発明に係るスピーカユニットの第２の実施例を図３の（ａ）〜（ｄ）に基づいて説明する。図３の（ａ）は、スピーカユニットの磁気回路を構成する各部品を示す斜視図である。図３の（ｂ）は、結束バンドを用いて磁気回路を構成する部品を結束固定する直前の状態を示す斜視図である。図３の（ｃ）は、磁気回路の平面図である。図３の（ｄ）は、磁気回路を示す半截断面図である。なお、上述した第１の実施例と同一部分については、同一符号を付し、その共通する箇所の詳細な説明は重複するため省略する。また、以下に説明する第３および第４の実施例についても同様とする。
【００３７】
この第２の実施例のスピーカユニットは、磁気回路を構成するトッププレート５とマグネット６およびヨーク７に結束バンド９を挿通するための穴５４ａ〜５４ｄ、穴６１ａ〜６１ｄおよび穴７６ａ〜７６ｄを設けたことを特長としている。
【００３８】
トッププレート５に設けた結束バンド９を挿通するための４個の穴５４ａ〜５４ｄは、トッププレート５の中心部に形成した円形の穴５３をはさんで対称な位置に２個ずつ設けている。
【００３９】
また、マグネット６に設けた結束バンド９を挿通するための４個の穴６１ａ〜６１ｄは、中心部に形成した円形の穴６２をはさんで対称位置で、かつ、トッププレート５の４個の穴５４ａ〜５４ｄとそれぞれ対向する位置に設けている。
【００４０】
さらに、ヨーク７のボトムプレート７１に設けた４個の穴７６ａ〜７６ｄは、センターポール７２をはさんで対称位置で、かつ、トッププレート５の４個の穴５４ａ〜５４ｄおよびマグネット６の４個の穴６１ａ〜６１ｄとそれぞれ対向する位置に設けている。
【００４１】
このように、トッププレート５とマグネット６およびヨーク７のボトムプレート７１へ４個ずつそれぞれ設けた穴５４ａ〜５４ｄ、６１ａ〜６１ｄおよび７６ａ〜７６ｄは、トッププレート５とマグネット６およびヨーク７を重ね合わせて磁気回路を組み立てたときに、貫通した状態となる４組の穴５４ａ、６１ａ、７６ａと、穴５４ｂ、６１ｂ、７６ｂと、穴５４ｃ、６１ｃ、７６ｃ、および穴５４ｄ、６１ｄ、７６ｄが形成される。
【００４２】
この貫通した状態の４組の穴５４ａ、６１ａ、７６ａと、穴５４ｂ、６１ｂ、７６ｂと、穴５４ｃ、６１ｃ、７６ｃおよび穴５４ｄ、６１ｄ、７６ｄへ図３の（ｂ）に示すように、２本の結束バンド９の両端をそれぞれ挿通し、張力を与えて結束することにより、トッププレート５とマグネット６およびヨーク７に均質な圧縮力が働き、図３の（ｄ）に示すように、トッププレート５とマグネット６およびヨーク７の３つの部品は、完全に結束固定され、磁気回路を構成する。結束バンド９に対して張力を与える方法としては、第１の実施例の場合と同様に、結束バンド９を強く引っ張り結束するか、あるいは、結束バンド９自体が収縮するように構成すればよい。
【００４３】
この第２の実施例によれば、第１の実施例で述べた効果に加えて、トッププレート５とマグネット６およびヨーク７のボトムプレート７１に設けた穴５４ａ〜５４ｄ、６１ａ〜６１ｄおよび７６ａ〜７６ｄへ結束バンド９を挿通して、３つの部品を結束固定することによって、固定位置が一意に決定するため、位置決め用のガイド等を特に必要としない。また、この第２の実施例に示した構造を採用することによって、内磁型スピーカユニットの磁気回路へも適応することができる。
【００４４】
また、この第２の実施例のスピーカユニットの磁気回路を分解する場合は、２本の結束バンド９をニッパなどの工具を用いて切断することによって、磁気回路を簡単に分解することができ、磁気回路の再利用あるいは分別廃棄を容易に行なうことができる。
【実施例３】
【００４５】
次に、本発明に係るスピーカユニットの第３の実施例を図４の（ａ）および（ｂ）に基づいて説明する。図４の（ａ）は、スピーカユニットの磁気回路を構成する各部品を示す斜視図である。図４の（ｂ）は、磁気回路の平面図である。
【００４６】
この第３の実施例のスピーカユニットは、磁気回路を構成する各部品の内、特に、マグネット６の四隅に切り欠き部６３を設けたことを特長としている。
【００４７】
このように、マグネット６の四隅に切り欠き部６３を設けることによって、トッププレート５およびヨーク７よりも大きなマグネット６を用いて磁気回路を構成した場合においても、結束バンド９をトッププレート５の溝５２と、ヨーク７のボトムプレート７１に設けた溝７５との間へ撓むことなく懸架することができ、トッププレート５とマグネット６およびヨーク７の３つの部品に対して均質な圧縮力を与えることが可能となり、結束固定をより確実なものとすることができる。さらに、マグネット６の四隅に設けた切り欠き部６３へ結束バンド９を通すことによって、トッププレート５とマグネット６およびヨーク７の３つの部品を規定位置に固定することができる。
【００４８】
また、この第３の実施例のスピーカユニットの磁気回路を分解する場合は、２本の結束バンド９をニッパなどの工具を用いて切断することによって、磁気回路を簡単に分解することができ、磁気回路の再利用あるいは分別廃棄を容易に行なうことができる。
【実施例４】
【００４９】
本発明に係るスピーカユニットの第４の実施例を図５に基づいて説明する。図５は、スピーカユニットのフレームおよび磁気回路の半截断面図である。
【００５０】
この第４の実施例は、スピーカユニットのフレーム１０と、磁気回路を構成するトッププレート５とマグネット６およびヨーク７の３つの部品を結束バンド９を用いて一体に結束固定することを特長としている。
【００５１】
この第４の実施例は、フレーム１０の基部１０１に、下側に突出させた凹状の係止部１０２を設けている。また、トッププレート５の上面には、フレーム１０の係止部１０２を受け入れることができる凹状の係合部５５を設けている。さらに、フレーム１０の係止部１０２には、結束バンド９を挿通するための穴を設けるとともに、磁気回路を構成するトッププレート５とマグネット６およびヨーク７にそれぞれ穴を設けて、結束バンド９を挿通するための貫通した穴を形成している。この貫通した穴へ結束バンド９を挿通し、フレーム１０と、磁気回路を構成するトッププレート５とマグネット６およびヨーク７の３つの部品を一体に結束固定することができる。
【００５２】
また、この第４の実施例のスピーカユニットのフレーム１０と、磁気回路を構成するトッププレート５とマグネット６およびヨーク７を分解する場合は、結束バンド９をニッパなどの工具を用いて切断することによって、磁気回路を簡単に分解することができ、フレーム１０あるいは磁気回路を構成するトッププレート５とマグネット６およびヨーク７の再利用あるいは分別廃棄を容易に行なうことができる。さらに、この第４の実施例によれば、フレーム１０を接着剤により磁気回路のトッププレート５の上面へ接着固定する必要がないので、分解が容易でリサイクルに適したスピーカユニットを提供することが可能となる。
【図面の簡単な説明】
【００５３】
【図１】本発明に係るスピーカユニットの第１の実施例を示す磁気回路部分の半截断面図および平面図である。
【図２】本発明に係るスピーカユニットの第１の実施例を示す磁気回路部分の斜視図である。
【図３】本発明に係るスピーカユニットの第２の実施例を示す構成説明図である。
【図４】本発明に係るスピーカユニットの第３の実施例を示す斜視図および平面図である。
【図５】本発明に係るスピーカユニットの第４の実施例を示すフレームと磁気回路部分の半截断面図である。
【図６】従来のスピーカユニットの磁気回路を示す斜視図である。
【符号の説明】
【００５４】
１      トッププレート
２      マグネット
３      ヨーク
３１    ボトムプレート
３２    センターポール
４      接着剤
５      トッププレート
５１    ボス
５２    溝
５３    穴
５４ａ〜５４ｄ    穴
５５    係合部
６      マグネット
６１ａ〜６１ｄ    穴
６２    穴
６３    切り欠き部
７      ヨーク
７１    ボトムプレート
７２    センターポール
７３    ガイド段部
７４    ボス
７５    溝
７６ａ〜７６ｄ    穴
８      磁気ギャップ
９      結束バンド
１０    フレーム
１０１  基部
１０２  係止部
【図１】
2005323096.tif 000003
【図２】
2005323096.tif 000004
【図３】
2005323096.tif 000005
【図４】
2005323096.tif 000006
【図５】
2005323096.tif 000007
【図６】
2005323096.tif 000008